(57)【要約】【課題】ポインティングデバイスでスクロール操作を行って表示装置の表示内容をスクロールさせる情報処理装置において、ポインティングデバイスでスクロール操作を行ったことでスクロール情報が生成されたことを表示装置上で確認できることを目的とする。【解決手段】表示手段１０６にアイコンを表示するアイコン表示手段１０７と、スクロール情報生成手段１０５によってスクロール情報が生成された瞬間に表示手段１０６に表示されているアイコンを変更するアイコン変更手段１０８を設ける。これにより、ポインティングデバイスでスクロール操作を行ったことでスクロール情報が生成されたことを表示装置上で確認できる。【選択図】　図１
2004126985.tif 000002
【特許請求の範囲】
【請求項１】
スクロール対象表示領域およびアイコン表示領域を有する表示手段と、操作者が２次元以上の絶対座標を入力する座標入力手段と、前記座標入力手段が入力した座標を検知し取得する座標取得手段と、前記座標取得手段で順番に取得された３つ以上の座標を順番に記憶する座標記憶手段と、前記座標記憶手段に記憶されている座標から座標入力操作の角度を算出する角度算出手段と、前記座標記憶手段および前記角度算出手段によって算出された情報から前記スクロール対象表示領域のスクロール方向およびスクロール量から成るスクロール情報を生成するスクロール情報生成手段と、前記表示手段のアイコン表示領域にアイコンを表示するアイコン表示手段と、前記スクロール情報生成手段によってスクロール情報が生成された瞬間に前記アイコンを変更するアイコン変更手段を有することを特徴とする情報処理装置。
【請求項２】
アイコン変更手段は操作者の座標入力操作に応じてアイコンを回転させることを特徴とする請求項１記載の情報処理装置。
【請求項３】
アイコン変更手段は操作者の座標入力操作が回転操作であった場合、回転操作方向と同じ方向にアイコンを回転させることを特徴とする請求項２記載の情報処理装置。
【請求項４】
２次元以上の絶対座標を入力する座標入力手順と、前記座標入力手順によって入力された座標を検知し取得する座標取得手順と、前記座標取得手順で順番に取得された３つ以上の座標を順番に記憶する座標記憶手順と、前記座標記憶手順によって記憶されている座標から座標入力操作の角度を算出する角度算出手順と、前記座標記憶手順および前記角度算出手順によって算出された情報から、表示手段のスクロール対象表示領域のスクロール方向およびスクロール量から成るスクロール情報を生成するスクロール情報生成手順と、表示手段のアイコン表示領域にアイコンを表示するアイコン表示手順と、前記スクロール情報生成手順によってスクロール情報が生成された瞬間に表示手段に表示されているアイコンを変更するアイコン変更手順を有することを特徴とする情報処理方法。
【請求項５】
アイコン変更手順は操作者の座標入力操作に応じてアイコンを回転させることを特徴とする請求項４記載の情報処理方法。
【請求項６】
アイコン変更手順は操作者の座標入力操作が回転操作であった場合、回転操作方向と同じ方向にアイコンを回転させることを特徴とする請求項５記載の情報処理方法。
【発明の詳細な説明】
【０００１】
【発明の属する技術分野】
本発明は、ポインティングデバイスを用いて表示装置上のスクロールを実行することのできる情報処理装置に関するものである。
【０００２】
【従来の技術】
従来の情報処理装置は、ポインティングデバイスに入力されたスクロール操作からスクロール情報を生成し、その情報をもとにスクロール処理を行っていた（例えば特許文献１参照）。
【０００３】
図５は、従来の情報処理装置の外観斜視図である。図において、５０１は表示手段、５０２は表示手段５０１に表示されたコンテンツ、５０３は操作者が２次元の絶対座標を入力するポインティングデバイスであるタブレット座標入力装置である。
【０００４】
以上のように構成された従来の情報処理装置では、操作者が指などの接触物を用いて、タブレット座標入力装置５０３に対して矢印５０４のように操作面をなぞって座標入力を行うスクロール操作を行い、入力された座標データからスクロール情報を生成し、その情報をもとに表示手段５０１上のコンテンツ５０２を矢印５０５のようにスクロールさせる処理を行っていた。
【０００５】
【特許文献１】
特開平７−７３００８号公報
【０００６】
【発明が解決しようとする課題】
しかしながら従来の情報処理装置は、ポインティングデバイスでスクロール操作を行ったが表示の都合などで実際には表示内容がスクロールしない場合に、操作者はスクロール操作に問題があったために表示内容がスクロールしないのか、表示内容の都合でスクロールしないのかを表示装置上で知ることができなかった。このため、スクロールしない理由がわからずに混乱したり、再度スクロール操作を行って結果的にスクロールさせ過ぎてしまうなどの問題を生じていた。
【０００７】
本発明は、ポインティングデバイスでスクロール操作を行ったことでスクロール情報が生成されたことを表示装置上で確認できる情報処理装置を提供することを目的とする。
【０００８】
【課題を解決するための手段】
上記課題を解決するために、本発明の情報処理装置は、スクロール対象表示領域およびアイコン表示領域を有する表示手段と、操作者が２次元以上の絶対座標を入力する座標入力手段と、前記座標入力手段が入力した座標を検知し取得する座標取得手段と、前記座標取得手段で順番に取得された３つ以上の座標を順番に記憶する座標記憶手段と、前記座標記憶手段に記憶されている座標から座標入力操作の角度を算出する角度算出手段と、前記座標記憶手段および前記角度算出手段によって算出された情報から前記スクロール対象表示領域のスクロール方向およびスクロール量から成るスクロール情報を生成するスクロール情報生成手段と、前記表示手段のアイコン表示領域にアイコンを表示するアイコン表示手段と、前記スクロール情報生成手段によってスクロール情報が生成された瞬間に前記アイコンを変更するアイコン変更手段を有するものである。
【０００９】
これにより、操作者がスクロール操作を行った際にスクロール情報が生成されたことを表示手段上で確認できることで、ポインティングデバイスでスクロール操作を行ったが表示の都合などで実際には表示内容がスクロールしない場合に、操作者はスクロール操作に問題があったかどうかを確認することができる。
【００１０】
さらに、前記アイコン変更手段は操作者の回転入力方向と同じ方向にアイコンを回転させることで、操作方向が正しく認識されているか確認することができる。
【００１１】
【発明の実施の形態】
以下に、本発明の実施の形態について図面を用いて説明する。
【００１２】
（実施の形態１）
図１は、本発明の一実施の形態における情報処理装置の構成図である。図１において、１０１は操作者が２次元以上の絶対座標を入力する座標入力手段、１０２は座標入力手段１０１が検知した座標を取得する座標取得手段、１０３は座標取得手段１０２で順に取得された３つ以上の座標を順に記憶する座標記憶手段、１０４は座標記憶手段１０３に記憶されている座標から回転操作の角度を算出する角度算出手段、１０５は角度算出手段１０４によって算出された情報からスクロール方向およびスクロール量から成るスクロール情報を生成するスクロール情報生成手段、１０６は表示手段、１０７は表示手段１０６にアイコンを表示するアイコン表示手段、１０８はスクロール情報生成手段１０５によってスクロール情報が生成された瞬間に表示手段１０６に表示されているアイコンを変更するアイコン変更手段、１０９は表示内容のスクロールを行うスクロール手段である。
【００１３】
図２は、座標入力手段のポインティングデバイスである丸型タブレット座標入力装置を上から見た概要図である。丸型タブレット座標入力装置は、丸型の操作面２０１を有するタブレット２１３と左ボタン２１４と右ボタン２１５とから構成され、操作者が指などの接触物を用いて操作面２０１をなぞることにより座標入力が行われる。
【００１４】
図３は、表示装置を正面から見た概要図である。３０１は表示手段１０６にあたる表示画面、３０２はアイコン表示領域、３０３はアイコン表示手段１０７によって表示されているスクロールアイコン、３０４はスクロール対象表示領域である。
【００１５】
操作者が操作面２０１をなぞった軌跡２０２の場合、操作開始点座標２０３が検知情報座標取得手段によって最初に取得され、さらに順に座標２０４、座標２０５、座標２０６、座標２０７、座標２０８と取得が続き、座標入力終了時に座標２０９が取得される。
【００１６】
取得された座標は順次座標記憶手段１０３に蓄積される。
【００１７】
座標２０７が取得されて座標記憶手段１０３に蓄積されたときには、座標２０７と直前の座標２０６とその前の座標２０５がベクトル２１１とベクトル２１０を成し、ベクトル２１１とベクトル２１０の成す角度２１２が角度算出手段１０４によって求められる。
【００１８】
角度２１２からスクロール情報生成手段１０５がスクロール情報を生成すると、表示画面３０１にアイコン表示手段１０７が表示しているスクロールアイコン３０３を、アイコン変更手段１０８がスクロール情報の方向に応じて回転させる。図３（ａ）はスクロール前、図３（ｂ）はスクロール中の状態を示している。
【００１９】
図４は、本実施の形態における手順のフローチャートである。４０１はアイコンの表示などの初期化を行う。４０２は操作者が座標入力手段に入力した座標を取得する。４０３は４０２で取得した座標を記憶する。４０４は４０３で蓄積された複数回分の座標から操作角度θを算出する。４０５は４０４で算出されたθがスクロール情報生成に十分なほど大きい操作角度であるか判断し、十分な角度であれば処理を４０６に、そうでなければ４０２に渡す。４０６はθから符号付スクロール量であるスクロール情報を生成する。４０７はスクロール情報が生成されたことを示すためにアイコンを右または左に回転させる。
【００２０】
本実施の形態では、操作者がスクロール操作を行った際にスクロール情報が生成されたことを表示手段上で確認できることで、ポインティングデバイスでスクロール操作を行ったが表示の都合などで実際には表示内容がスクロールしない際に、操作者はスクロール操作に問題があったかどうかを確認することができる。
【００２１】
さらに、アイコンの回転方向を見ることによってスクロール操作の方向が正しく認識されているかを確認することができる。
【００２２】
なお、本実施の形態では、スクロール操作の方向を回転するようにしたが、左右、前後などの直線的な操作方向をアイコンの回転方向に置き換えてもよいし、アイコンの動作を回転ではなく、往復などの動作にしてもよい。また、アイコンの形状が変化するようにしてもよく、要するにスクロール操作があったかどうかがアイコンによって確認できるものであれば何でもよい。
【００２３】
【発明の効果】
本発明の情報処理装置では、操作者がスクロール操作を行った際にスクロール情報が生成されたことを表示手段上で確認できることで、ポインティングデバイスでスクロール操作を行ったが表示の都合などで実際には表示内容がスクロールしない際に、操作者はスクロール操作に問題があったかどうかを確認することができる。
【００２４】
また、操作者の回転入力方向と同じ方向にアイコンを回転させることで、スクロール操作の方向が正しく認識されているか確認することができる。
【図面の簡単な説明】
【図１】本発明の一実施の形態における情報処理装置の構成図
【図２】丸型タブレット座標入力装置を上から見た概要図
【図３】表示装置を正面から見た概要図
【図４】本発明の一実施の形態における手順のフローチャート
【図５】従来の情報処理装置の外観斜視図
【符号の説明】
１０１　座標入力手段
１０２　座標取得手段
１０３　座標記憶手段
１０４　角度算出手段
１０５　スクロール情報生成手段
１０６　表示手段
１０７　アイコン表示手段
１０８　アイコン変更手段
１０９　スクロール手段
２０１　操作面
２０２　軌跡
２０３　操作開始点座標
２０４、２０５、２０６、２０７、２０８、２０９　座標
２１０、２１１　ベクトル
２１２　角度
２１３　タブレット
２１４　左ボタン
２１５　右ボタン
３０１　表示画面
３０２　アイコン表示領域
３０３　スクロールアイコン
３０４　スクロール対象表示領域
【図１】
2004126985.tif 000003
【図２】
2004126985.tif 000004
【図３】
2004126985.tif 000005
【図４】
2004126985.tif 000006
【図５】
2004126985.tif 000007